【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
ジョブを実行するジョブ処理装置と、前記ジョブ処理装置と通信可能でありジョブデータ生成機能を有する情報処理装置と、を含むジョブ処理システムであって、
ユーザ毎に前記ジョブ処理装置の機能の利用を制限するための利用制限情報を管理する管理手段と、
前記ジョブデータ生成機能によるジョブデータの生成を前記情報処理装置において指示している第１のユーザに対応する利用制限情報を前記管理手段から取得し、該取得した利用制限情報と前記ジョブデータ生成機能により生成された前記ジョブデータとのうち少なくともいずれかを前記ジョブ処理装置へ送信する送信手段と、
前記ジョブ処理装置が前記利用制限情報と前記ジョブデータとを受信した場合には、前記利用制限情報に従って前記ジョブデータを処理し、前記ジョブ処理装置が前記利用制限情報と前記ジョブデータとのうち前記ジョブデータを受信した場合には、前記ジョブデータに基づくジョブの実行を前記ジョブ処理装置において指示している第２のユーザの利用制限情報を前記管理手段から取得し、該取得した利用制限情報に従って前記ジョブデータを処理するジョブ処理手段と、
を有することを特徴とするジョブ処理システム。
【請求項２】
前記ジョブデータに基づき印刷処理を行う画像形成装置をさらに有し、
前記ジョブ処理手段は、前記ジョブ処理装置に構成され、前記画像形成装置に印刷処理を行わせるための前記ジョブデータを処理することを特徴とする請求項１に記載のジョブ処理システム。
【請求項３】
前記画像形成装置は、前記利用制限情報に従って、印刷出力機能を利用して印刷処理を行うことを特徴とする請求項２に記載のジョブ処理システム。
【請求項４】
前記管理手段は、ユーザ毎に印刷枚数を管理し、
前記ジョブ処理システムは、前記画像形成装置における印刷枚数を前記管理手段の印刷枚数に反映する反映手段をさらに有することを特徴とする請求項２又は３に記載のジョブ処理システム。
【請求項５】
前記利用制限情報は、当該利用制限情報の有効期限を含み、
前記ジョブ処理手段は、前記ジョブ処理装置が前記利用制限情報と前記ジョブデータとを受信した場合に、現在の日時が前記有効期限内であれば該ジョブデータの処理を行い、一方、前記有効期限内でなければ該ジョブデータの処理を中止することを特徴とする請求項１乃至４のいずれか１項に記載のジョブ処理システム。
【請求項６】
前記管理手段は、前記ジョブ処理装置と前記情報処理装置のそれぞれと通信可能なユーザ情報管理装置に構成されることを特徴とする請求項１乃至５のいずれか１項に記載のジョブ処理システム。
【請求項７】
ジョブデータ生成機能を有する情報処理装置と通信可能なジョブ処理装置であって、
前記情報処理装置から受信したデータがジョブデータと利用制限情報とのうち少なくともいずれかを含んでいるかを確認する確認手段と、
前記データが前記ジョブデータと前記利用制限情報とを含んでいると前記確認手段により確認された場合には、前記利用制限情報に従って該ジョブデータを処理し、前記データが前記ジョブデータと前記利用制限情報とのうち前記ジョブデータを含んでいると前記確認手段により確認された場合には、該ジョブデータに基づくジョブの実行を前記ジョブ処理装置において指示しているユーザの前記利用制限情報を、ユーザ毎に前記ジョブ処理装置が有する機能の利用を制限するための前記利用制限情報を管理する管理手段から取得し、該取得した利用制限情報に従って前記ジョブデータを処理するジョブ処理手段と、
を有することを特徴とするジョブ処理装置。
【請求項８】
ジョブデータ生成機能を有する情報処理装置と通信可能なジョブ処理装置において実行される制御方法であって、
前記ジョブ処理装置の確認手段が、前記情報処理装置から受信したデータがジョブデータと利用制限情報とのうち少なくともいずれかを含んでいるかを確認する確認工程と、
前記ジョブ処理装置のジョブ処理手段が、前記データが前記ジョブデータと前記利用制限情報とを含んでいると前記確認工程において確認された場合には、前記利用制限情報に従って該ジョブデータを処理し、前記データが前記ジョブデータと前記利用制限情報とのうち前記ジョブデータを含んでいると前記確認工程において確認された場合には、該ジョブデータに基づくジョブの実行を前記ジョブ処理装置において指示しているユーザの前記利用制限情報を、ユーザ毎に前記ジョブ処理装置が有する機能の利用を制限するための前記利用制限情報を管理する管理手段から取得し、該取得した利用制限情報に従って前記ジョブデータを処理するジョブ処理工程と、
を有することを特徴とする制御方法。
【請求項９】
請求項８に記載の制御方法の各工程をコンピュータに実行させるプログラム。
【手続補正２】
【補正対象書類名】明細書
【補正対象項目名】０００７
【補正方法】変更
【補正の内容】
【０００７】
本発明のジョブ処理システムは、ジョブを実行するジョブ処理装置と、前記ジョブ処理装置と通信可能でありジョブデータ生成機能を有する情報処理装置と、を含むジョブ処理システムであって、ユーザ毎に前記ジョブ処理装置の機能の利用を制限するための利用制限情報を管理する管理手段と、  前記ジョブデータ生成機能によるジョブデータの生成を前記情報処理装置において指示している第１のユーザに対応する利用制限情報を前記管理手段から取得し、該取得した利用制限情報と前記ジョブデータ生成機能により生成された前記ジョブデータとのうち少なくともいずれかを前記ジョブ処理装置へ送信する送信手段と、前記ジョブ処理装置が前記利用制限情報と前記ジョブデータとを受信した場合には、前記利用制限情報に従って前記ジョブデータを処理し、前記ジョブ処理装置が前記利用制限情報と前記ジョブデータとのうち前記ジョブデータを受信した場合には、前記ジョブデータに基づくジョブの実行を前記ジョブ処理装置において指示している第２のユーザの利用制限情報を前記管理手段から取得し、該取得した利用制限情報に従って前記ジョブデータを処理するジョブ処理手段と、を有することを特徴とする。
【手続補正３】
【補正対象書類名】明細書
【補正対象項目名】０００８
【補正方法】変更
【補正の内容】
【０００８】
また、本発明のジョブ処理装置は、ジョブデータ生成機能を有する情報処理装置と通信可能なジョブ処理装置であって、前記情報処理装置から受信したデータがジョブデータと利用制限情報とのうち少なくともいずれかを含んでいるかを確認する確認手段と、前記データが前記ジョブデータと前記利用制限情報とを含んでいると前記確認手段により確認された場合には、前記利用制限情報に従って該ジョブデータを処理し、前記データが前記ジョブデータと前記利用制限情報とのうち前記ジョブデータを含んでいると前記確認手段により確認された場合には、該ジョブデータに基づくジョブの実行を前記ジョブ処理装置において指示しているユーザの前記利用制限情報を、ユーザ毎に前記ジョブ処理装置が有する機能の利用を制限するための前記利用制限情報を管理する管理手段から取得し、該取得した利用制限情報に従って前記ジョブデータを処理するジョブ処理手段と、を有することを特徴とする。
【手続補正４】
【補正対象書類名】明細書
【補正対象項目名】０００９
【補正方法】変更
【補正の内容】
【０００９】
また、本発明のジョブ処理装置の制御方法は、ジョブデータ生成機能を有する情報処理装置と通信可能なジョブ処理装置において実行される制御方法であって、前記ジョブ処理装置の確認手段が、前記情報処理装置から受信したデータがジョブデータと利用制限情報とのうち少なくともいずれかを含んでいるかを確認する確認工程と、前記ジョブ処理装置のジョブ処理手段が、前記データが前記ジョブデータと前記利用制限情報とを含んでいると前記確認工程において確認された場合には、前記利用制限情報に従って該ジョブデータを処理し、前記データが前記ジョブデータと前記利用制限情報とのうち前記ジョブデータを含んでいると前記確認工程において確認された場合には、該ジョブデータに基づくジョブの実行を前記ジョブ処理装置において指示しているユーザの前記利用制限情報を、ユーザ毎に前記ジョブ処理装置が有する機能の利用を制限するための前記利用制限情報を管理する管理手段から取得し、該取得した利用制限情報に従って前記ジョブデータを処理するジョブ処理工程と、を有することを特徴とする。
【手続補正５】
【補正対象書類名】明細書
【補正対象項目名】００１０
【補正方法】変更
【補正の内容】
【００１０】
さらに、上記制御方法の各工程をコンピュータに実行させるプログラムを提供する。